(57)【要約】【課題】刈り取られた芝の廃棄作業が容易な芝刈機を得る。【解決手段】集草バッグ４０の内部には、柔軟性のあるゴミ袋１００が、その開口部を上側に向けた形態で、メッシュ部５４よりも下側に装着される。メッシュ部５４を透過できない芝は、重力によってその下側のボトムケース６０側に落下する。メッシュ部５４よりも下側にはゴミ袋１００が開口部を上側にして設置されているために、この芝はゴミ袋１００の内部に捕集される。ゴミ袋１００を上記の状態で集草バッグ４０内に設置するために、ゴミ袋１００の開口部を形成する端部は、ボトムケース６０近くの蓋部５０側の複数箇所で固定される。【選択図】図２
2015008669.tif 000002
【特許請求の範囲】
【請求項１】
本体に設けられた刈刃によって芝を刈り取り、刈り取られた芝が、前記本体中に形成された風路を流れる気流に乗って、前記本体に対して着脱自在とされた集草バッグまで輸送される構成を具備する芝刈機であって、
前記集草バッグは、
袋の開口部が上側を向くように前記袋を前記集草バッグの内部に装着する袋固定具を具備することを特徴とする芝刈機。
【請求項２】
前記集草バッグは、
上方に設けられた蓋部と、
当該蓋部の下方に設けられ、装着された前記袋を下側から覆うボトムケースと、
を具備することを特徴とする請求項１に記載の芝刈機。
【請求項３】
前記袋固定具が前記蓋部に設けられたことを特徴とする請求項２に記載の芝刈機。
【請求項４】
前記集草バッグは、内部から外部に向かって前記気流を透過させるが前記刈り取られた芝は透過させないメッシュ部を前記開口部よりも上側に具備することを特徴とする請求項１から請求項３までのいずれか１項に記載の芝刈機。
【請求項５】
前記集草バッグは、
装着時に前記本体における前記風路と接する部分において、前記本体側に向かって突出した案内部を具備することを特徴とする請求項１から請求項４までのいずれか１項に記載の芝刈機。
【請求項６】
前記本体の下部には使用時に地面と接する車輪が設けられ、地上を移動可能とされたことを特徴とする請求項１から請求項５までのいずれか１項に記載の芝刈機。
【発明の詳細な説明】
【技術分野】
【０００１】
本発明は、刈り取られた芝を捕集する着脱式の集草バッグを具備する芝刈機の構造に関する。
【背景技術】
【０００２】
地上近くにおいて回転するブレードを具備し、作業者が地上で移動させることによって芝刈りを行う芝刈機が使用されている。こうした芝刈機においては、単に芝を切断するだけでなく、刈り取られた芝を捕集するための集草バッグが設けられている。この構成においては、ブレードは、単に芝を切断するだけでなく、地面から上側に向かって流れる気流を生成する。ブレードによって刈り取られた芝は、この気流に乗って地上から上側に向かって流れ、芝刈機本体の中に形成された風路中を流れる。その後、気流は外部に向かって放出されるのに対し、刈り取られた芝は外部には放出されず、芝刈機本体に接続された集草バッグ内に捕集される。作業者は、芝刈り作業が終了した後に集草バッグを芝刈機本体から取り外し、捕集された芝を廃棄することができる。
【０００３】
こうした構成の芝刈機の構成は、例えば特許文献１に記載されている。特許文献１に記載の芝刈機においては、刈り取られた芝が上記の気流によって集草バッグまで確実に導かれるような芝刈機本体の構造が用いられている。
【０００４】
このため、この芝刈機においては、刈り取られた芝を飛散させることがなく、この芝を集草バッグに確実に捕集し、芝刈り作業の後で、作業者がその処分を容易に行うことができた。
【先行技術文献】
【特許文献】
【０００５】
【特許文献１】特開２０１０−１７１１７号公報
【発明の概要】
【発明が解決しようとする課題】
【０００６】
しかしながら、集草バッグに収納できる芝の量には限度がある。このため、集草バッグが芝で満たされる前に、作業者が集草バッグを芝刈機本体から取り外し、捕集された芝を廃棄する作業が必要となる。この際、通常は、芝を集草バッグから大きなゴミ袋に移し替え、ゴミ袋が芝で満たされたら、作業者がこのゴミ袋を封止し、ゴミ袋ごと廃棄処分を行う。
【０００７】
この作業においては、集草バッグを芝刈機本体から取り外す際、更にその後に捕集された芝を集草バッグからゴミ袋に移し替える際に、芝が外部に飛散することがあった。また、実際には集草バッグの中の芝を残らず全てゴミ袋に移し替える作業は煩雑となった。こうした問題に対処するために、芝を集草バッグからゴミ袋に移し替える作業は、例えば一人で行うことは困難であり、作業効率を高くすることが困難であった。
【０００８】
すなわち、刈り取られた芝の廃棄作業が容易な芝刈機を得ることは困難であった。
【０００９】
本発明は、かかる問題点に鑑みてなされたものであり、上記の問題点を解決する発明を提供することを目的とする。
【課題を解決するための手段】
【００１０】
本発明は、上記課題を解決すべく、以下に掲げる構成とした。
本発明の芝刈機は、本体に設けられた刈刃によって芝を刈り取り、刈り取られた芝が、前記本体中に形成された風路を流れる気流に乗って、前記本体に対して着脱自在とされた集草バッグまで輸送される構成を具備する芝刈機であって、前記集草バッグは、袋の開口部が上側を向くように前記袋を前記集草バッグの内部に装着する袋固定具を具備することを特徴とする。
本発明の芝刈機において、前記集草バッグは、上方に設けられた蓋部と、当該蓋部の下方に設けられ、装着された前記袋を下側から覆うボトムケースと、を具備することを特徴とする。
本発明の芝刈機は、前記袋固定具が前記蓋部に設けられたことを特徴とする。
本発明の芝刈機において、前記集草バッグは、内部から外部に向かって前記気流を透過させるが前記刈り取られた芝は透過させないメッシュ部を前記開口部よりも上側に具備することを特徴とする。
本発明の芝刈機において、前記集草バッグは、装着時に前記本体における前記風路と接する部分において、前記本体側に向かって突出した案内部を具備することを特徴とする。
本発明の芝刈機は、前記本体の下部には使用時に地面と接する車輪が設けられ、地上を移動可能とされたことを特徴とする。
【発明の効果】
【００１１】
本発明は以上のように構成されているので、刈り取られた芝の廃棄作業が容易な芝刈機を得ることができる。
【図面の簡単な説明】
【００１２】
【図１】本発明の実施の形態となる芝刈機を側面からみた部分断面図である。
【図２】本発明の実施の形態となる芝刈機において使用される集草バッグの構成を示す正面図（ａ）、側面からの部分断面図（ｂ）（ｃ）である。
【図３】蓋部側接続フックと本体側接続フックとを組み合わせた際の形状を示す図である。
【図４】本発明の実施の形態となる芝刈機において用いられるクリップ（袋固定具）の一例の構成を示す図である。
【図５】本発明の実施の形態となる芝刈機において用いられるクリップ（袋固定具）の他の例の構成を示す図である。
【図６】集草バッグにおいて、蓋部とボトムケースとを分離した形態（その１）を示す側面図である。
【図７】集草バッグにおいて、蓋部とボトムケースとを分離した形態（その２）を示す側面図である。
【発明を実施するための形態】
【００１３】
本発明の実施の形態となる芝刈機の構成について説明する。この芝刈機１においては、刈り取られた芝を捕集する着脱式の集草バッグが用いられる。ただし、ここでは、集草バッグに捕集された芝の廃棄処分が特に容易とされる。この芝刈機１は、作業者の操作によって地上を移動すると同時に芝刈りを行う手押し式の芝刈機である。
【００１４】
図１は、この芝刈機１を側面からみた部分断面図である。この芝刈機１は、図中左側の本体１０と図中右側の集草バッグ４０で構成され、本体１０によって刈り散られた芝は、集草バッグ４０中に導かれる。集草バッグ４０は本体１０に対して着脱自在とされる。図１においては、本体１０の内部構造が断面として示されている。なお、この図における左側を前方、右側を後方と定義する。通常は、作業者は図１における集草バッグ４０よりも後側に位置して芝刈り作業を行う。
【００１５】
本体１０の下部には、回転自在とされた前輪１１、後輪１２が設けられており、これらの回転軸は図１の紙面と垂直方向とされる。また、前輪１１、後輪１２は、共に紙面手前側と紙面向こう側に一つずつ設けられている。これにより、本体１０は、前輪１１、後輪１２を接地させた状態で地面を図中の左右方向に移動可能とされる。
【００１６】
本体１０下部における前輪１１と後輪１２の間には、芝を切断するブレード（刈刃）１３が設置されている。ブレード１３は、取り付けボルト１５によってモーター１４の回転軸に下側から固定される。ブレード１３は、この回転軸を中心とした略一文字形状であり、その両側には刃が形成されると共に、プロペラ形状とされた部分が設けられている。モーター１４の回転軸は図中の上下方向とされるため、ブレード１３は地面から所定の高さだけ上側にある水平面内で回転する。この水平面の地面からの高さが、芝の刈り込み高さとなる。また、ブレード１３の回転によって芝刈りが行われると共に、ブレード１３におけるプロペラ形状とされた部分によって、下側（地面側）から上側に向かう気流が生成される。ブレード１３によって刈り取られた芝は、この気流に乗って上側に流れる。
【００１７】
本体１０において、ブレード１３やモーター１４等は、ハウジング１６内に収められており、ハウジング１６内には、電源となる電池１７も搭載される。また、刈り込み高さ調整機構１８によって、モーター１４及びブレード１３の本体１０における上下方向の位置が調整可能とされる。これにより、ブレード１３の地面からの高さが調整され、刈り込み後の芝が所望の高さとなるように調整される。
【００１８】
また、本体１０の上部には、後方（図中右側）斜め上方に延伸する中空のパイプで構成されたハンドル３０が設けられている。作業者は、ハンドル３０の後端の屈曲した箇所を把持し、この刈払機１を移動させることができる。ハンドル３０も、前輪１１等と同様に、紙面手前側と紙面向こう側にそれぞれ設けられている。また、細長いハンドル３０の中央付近にはハンドル接続部品３１が設けられ、ハンドル３０は、この部分を境界として分離された２本のパイプで構成される。これにより、ハンドル３０は、ハンドル接続部品３１を支点として折り畳み可能な構成とされる。これにより、この芝刈機１の収納時にはハンドル３０を折り畳み、全体をコンパクトな形状とすることができる。
【００１９】
また、ハンドル３０には、モーター１４のオン・オフを制御するスイッチ３２が設置され、このスイッチ３２は、連結されたスイッチレバー３３によって操作される。スイッチ３２は、リードワイヤ３４を介してモーター１４に接続される。スイッチレバー３３は、作業者がハンドル３０の後端部を把持した状態で操作することができる。この構成により、作業者は、スイッチレバー３３を操作することによって、ブレード１３の回転のオン・オフを制御することができる。
【００２０】
本体１０において、ブレード１３を上側から覆うカッターハウジング１９が設けられ、モーター１４は、このカッターハウジング１９に固定されている。カッターハウジング１９には、ブレード１３が生成する気流の通路となる風路が形成されている。この風路は、モーター１４の回転軸を中心とし上側に向かう螺旋状に形成されている。この風路は、最終的に本体１０の後端（図１における右端）に達する。ブレード１３によって切断された芝も、この風路内を気流に乗って流れ、本体１０の後端に達する。この後端側に集草バッグ４０が装着される。
【００２１】
図２は、集草バッグ４０の構成を示す正面図（ａ）、側面からの部分断面図（ｂ）、これと異なる部分の断面が示された部分断面図（ｃ）である。この集草バッグ４０は、本体１０の後端に係止されて装着される。図２（ｂ）（ｃ）と図１とは同じ方向から見た側面を示しており、集草バッグ４０の前端（図２（ｂ）（ｃ）における左端）は、図１における本体１０の後端と接続される。また、図２（ａ）は、この集草バッグ４０が本体１０に装着される前端部分を前側からみた図である。
【００２２】
この集草バッグ４０は、上側の蓋部５０に下側のボトムケース部６０が装着されて形成されている。前記の気流及び刈り取られた芝は、蓋部５０側に導入され、芝はボトムケース６０側に回収される。
【００２３】
蓋部５０の前端上側には、前方側に突出した蓋部側接続フック５１が設けられている。蓋部側接続フック５１の下側には、切り欠き部が設けられている。一方、本体１０の後端上側には、後方側に突出した本体側接続フック２１が設けられ、本体側接続フック２１の上側には、上側に向かって突出した突起部が設けられている。図３にその拡大図が示されるように、蓋部側接続フック５１の切り欠き部と本体側接続フック２１の突起部とを係合させることによって、蓋部５０を本体１０に装着することができる。作業者は、蓋部５０の上側に設けられた集草バッグハンドル部５２を把持してこの装着作業を行うことができる。
【００２４】
また、蓋部５０の前面には、前方に突出した刈芝案内部（案内部）５３が形成されている。刈芝案内部５３は、本体１０におけるカッターハウジング１９に形成された螺旋状の風路の出口に対応して形成されている。図２（ａ）に示されるように、刈芝案内部５３は、下面と両側面で構成され、集草バッグ４０の装着時にはこれらの面で囲まれた部分を気流及び刈り取られた芝が通過する。このため、刈芝案内部５３の両側面は、図２（ａ）（ｂ）に示されるように、前記の螺旋形状に対応して、前後方向に対して傾斜した角度とされている。この構成により、前記の気流及び刈り取られた芝は、本体１０から蓋部５０（集草バッグ４０）側に導入される。
【００２５】
また、蓋部５０の側面には、網目状構造とされたメッシュ部５４が形成されている。メッシュ部５４の粗さ（目開き）は、内部から気流はこれを透過し、刈り取られた芝はこれを透過しない程度に設定される。このため、メッシュ部５４は、集草バッグ４０内に導入された気流の出口となる。
【００２６】
蓋部５０の前端側下部には蓋部側前方フック５５が設けられ、蓋部５０の後端側下部には蓋部側後方フック５６が設けられている。これらは、一方、これらに対応して、ボトムケース６０の前端側上部にはボトムケース側前方フック６１が設けられ、ボトムケース６０の後端側上部には、固定ピン６２が設けられる。蓋部側前方フック５５、蓋部側後方フック５６、ボトムケース側前方フック６１、固定ピン６２は、ボトムケース６０を蓋部５０に装着した際には、ボトムケース６０に覆われているために、図１においては示されていない。ボトムケース側前方フック６１と蓋部側前方フック５５との間の関係は、上記の本体側接続フック２１と蓋部側接続フック５１との間の関係と同様であり、ボトムケース側前方フック６１は蓋部側前方フック５５に係合するように構成される。一方、蓋部側後方フック５６は鉤形形状であり、ボトムケース６０側が蓋部側後方フック５６に吊り下げられる形態となるように、この鉤形形状とされた部分の中に固定ピン６２が係止される。これらの構成によって、ボトムケース６０は蓋部５０に装着される。これにより、蓋部５０とボトムケース６０とが一体化された状態の集草バッグ４０が本体１０に装着される。また、集草バッグ４０を本体１０から取り外した状態において、ボトムケース側前方フック６１と蓋部側前方フック５５とを離間させた状態で、固定ピン６２を軸としてボトムケース６０あるいは蓋部５０を回動させることができる。
【００２７】
なお、蓋部側前方フック５５、蓋部側後方フック５６、ボトムケース側前方フック６１、固定ピン６２も、前輪１１等と同様に、図１、図２（ｂ）における紙面手前側と紙面向こう側に一つずつ設けられている。
【００２８】
ここでは、集草バッグ４０の内部には、柔軟性のあるゴミ袋（袋）１００が、その開口部を上側に向けた形態で、メッシュ部５４よりも下側に装着される。ゴミ袋１００は、通常使用されるポリエチレン等の薄膜で構成された柔軟性のある袋である。このゴミ袋１００は、その開口部を上にして上下方向に縮んだ状態でボトムケース６０の内面に設置することができる。この装着方法については後述する。
【００２９】
上記の構成によって、ブレード１３によって切断された芝は、ブレード１３によって生成された気流に乗ってカッターハウジング１９内の流路を通り、集草バッグ４０（蓋部５０）に到達する。その後、気流はメッシュ部５４を透過して蓋部５０の外部に流れ出るが、メッシュ部５４を透過できない芝は、重力によってその下側のボトムケース６０側に落下する。メッシュ部５４よりも下側にはゴミ袋１００が開口部を上側にして設置されているために、この芝はゴミ袋１００の内部に捕集される。
【００３０】
ここで、ゴミ袋１００を上記の状態で集草バッグ４０内に設置するために、ゴミ袋１００の開口部を形成する端部は、ボトムケース６０近くの蓋部５０側の複数箇所で固定される。このため、蓋部５０の下部におけるボトムケース６０と当接する部分には、図４にその断面構造が示されるようなクリップ（袋固定具）５７が設置されている。図３は、蓋部５０とボトムケース６０とが当接する側面の断面構造が模式的に示されており、図中の右側が集草バッグ４０（蓋部５０あるいはボトムケース６０）の内部側であり、図中の左側がその外部側となっている。クリップ５７は、支点５７ａを中心として回動可能な構成とされ、かつ、バネ５７ｂによって、図４中において支点５７ａを中心として反時計回り、すなわち、クリップ５７の下端部を蓋部５０の外面に当接させるように付勢されている。このため、ゴミ袋１００の開口部を構成する上側端部を、クリップ５７の下端と蓋部５０の外面との間に挟み込んで固定することができる。
【００３１】
このクリップ５７を蓋部５０の周囲の複数箇所に設け、これを用いてゴミ袋１００の上端部を複数の箇所で蓋部５０に固定することにより、ゴミ袋１００を、その開口部が上側となるようにして蓋部５０側から吊り下げた形態とすることができる。ゴミ袋１００の外側は、装着されたボトムケース６０によって覆われる形態とされる。また、図２（ｃ）に示されるように、ゴミ袋１００の上端部をボトムケース６０の外周よりも外側に出し、ボトムケース６０を蓋部５０に装着した際にゴミ袋１００の上端部が外部に露出する形態とすれば、ボトムケース６０の内部は、全てゴミ袋１００で覆われる。この際、ボトムケース６０の高さよりも上下方向に長いゴミ袋１００を使用することもでき、この場合には、ゴミ袋１００は、図２（ｂ）（ｃ）に示されるように、ボトムケース６０の内面で皺が多く形成され上下方向に縮んだ状態で収納される。
【００３２】
あるいは、袋固定具として、他の構造のものを用いることもできる。例えば、図５（ａ）にその斜視図が示される弾性体（ゴム等）で構成されたクリップ（袋固定具）５８を用いることもできる。図５（ｂ）は、このクリップ５８を用いてゴミ袋１００の端部を蓋部５０に固定する際の形態を図４と同様に示す図である。ここで、蓋部５０の下端部にゴミ袋１００を挟んでクリップ５８を装着すれば、ゴミ袋１００の上端部を外側に出した状態で、ゴミ袋１００を蓋部５０に固定することができる。このクリップ５８を蓋５０における複数箇所に用いてゴミ袋１００を蓋５０に固定し、ボトムケース６０を蓋部５０に装着すれば、ゴミ袋１００は、その開口部を上側にした状態でボトムケース６０の内面に設置される。前記のクリップ５７は、予め蓋部５０に設置されるのに対し、このクリップ５８を蓋部５０に装着する箇所は任意である。このため、クリップ５８によってゴミ袋１００が固定される箇所は任意である。
【００３３】
これらの固定方法においては、ゴミ袋１００の上端部はクリップ５７、５８から外側（図４、５（ｂ）における左側）にはみ出る。このはみ出た部分は、メッシュ部５４を閉塞させる、あるいは芝刈機１を移動させる際に障害とならないように、短く設定することが好ましい。これにより、クリップ５７、５８が設けられていない箇所におけるゴミ袋１００の上端部の長さも同様となる。
【００３４】
上記の構成の芝刈機１を使用した場合には、刈り取られた芝は、ボトムケース６０側に落下し、ゴミ袋１００の内部に捕集される。刈り取られた芝で集草バッグ４０（ボトムケース６０）が満たされたら、作業者は、集草バッグ４０を本体１０から取り外す。この際、蓋部側接続フック５１と本体側接続フック２１とを係脱することにより、集草バッグ４０を本体１０から取り外すことができる。
【００３５】
この状態において、刈り取られた芝は、本体１０から集草バッグ４０に至るまでの風路中にも残存することがある。特に、本体１０と集草バッグ４０との間の連結部分に残存した芝は、集草バッグ４０を本体１０から取り外す際に、外部に飛散する虞がある。しかしながら、本体１０と集草バッグ４０の連結部分には刈芝案内部５３が設けられているために、これらの連結部分に残存した芝は、刈芝案内部５３内に留まり、芝が外部に飛散することが抑制される。刈芝案内部５３中に残存した芝は、集草バッグ５０を後方側に傾けることによって、集草バッグ４０側に捕集することができる。
【００３６】
その後、図６に示されるように、ボトムケース側前方フック６１を蓋部側前方フック５５から係脱することにより、固定ピン６２を軸としてボトムケース６０あるいは蓋部５０を回動させることができる。これにより、上端部が蓋部５０側で固定されたゴミ袋１００の外面が露出する。
【００３７】
その後、図７に示されるように、固定ピン６２を蓋部側後方フック５６から係脱することにより、ボトムケース６０が蓋部５０から取り外され、ゴミ袋１００は、その上端部側が蓋部５０に固定された状態で蓋部５０から吊り下げられた状態となる。この際、ボトムケース６０よりも上下方向に長いゴミ袋１００が用いられた場合には、ボトムケース６０装着時には上下方向に縮んでいたゴミ袋１００は、収納された芝の重さによって下側に伸びた状態となる。これによって、収納された芝も下側に移動し、ゴミ袋１００の開口部（上部）付近にあった芝もゴミ袋１００内の下側に落下する。すなわち、この状態においては、刈り取られた芝は、ゴミ袋１００の内部に収容される。
【００３８】
その後、前記のクリップ５７を図３において時計回りに回動させる、あるいは図４におけるクリップ５８を蓋部５０の下端部から取り外すことによって、ゴミ袋１００を蓋部５０から取り外すことができる。これらの作業の際には、クリップ５７、５８の周囲にはもはや芝は残存していないため、これらの作業において芝の外部への飛散が抑制される。また、作業者の手に芝が付着することも抑制される。その後、作業者は、ゴミ袋１００の上側の開口部を封止した後に、このゴミ袋１００ごと、刈り取られた芝を廃棄することができる。
【００３９】
上記の構成において、ゴミ袋１００としては、柔軟性があり上記のクリップ５７やクリップ５８を用いて蓋部５０に固定できるものであれば、任意のものを用いることができる。例えば、一般家庭におけるゴミ回収に使用されるポリエチレン製のゴミ袋を使用することができる。また、開口部がボトムケース６０と同程度でありかつボトムケース６０の高さよりも充分上下方向に長いゴミ袋を用いることが好ましい。ただし、ボトムケース６０内で芝を収納できる限りにおいて、任意の形状、大きさの袋を使用することができる。また、ボトムケース６０内で芝を収納できる限りにおいて、柔軟性のない袋を用いてもよい。
【００４０】
あるいは、上記の芝刈機１においては、例えばゴミ袋１００が入手できない場合には、ゴミ袋１００を装着しない状態で使用することもできる。この場合には、刈り取られた芝はボトムケース６０内に溜められる。その後、上記と同様にボトムケース６０を蓋部５０から取り外し、従来と同様に、ボトムケース６０内の芝を他の容器に移し替えて処分することができる。
【００４１】
なお、上記の構成においては、ブレード１３によって芝の切断と気流の生成を同時に行うものとしたが、例えばブレードと別体のファンによって気流を生成する芝刈機においても同様である。また、上記の例では動力源がモーターであったが、エンジンを動力源とする場合においても同様である。
【００４２】
また、上記の例では、集草バッグ４０が上側の蓋部５０と下側のボトムケース６０に２分割される構成とされたが、集草バッグ内に袋を収容でき、芝を捕集後に袋を回収できる限りにおいて、集草バッグの構成は任意である。例えば、集草バッグ４０は分割式である必要はない。
【００４３】
また、上記の例では、気流を集草バッグ４０の外部に放出して芝を集草バッグ４０内部に留めるためにメッシュ部５４が用いられたが、同様に、気流を外部に放出し、芝を集草バッグ内に捕集することができる限りにおいて、他の構成を用いることもできる。
【符号の説明】
【００４４】
１  芝刈機
１０  本体
１１  前輪
１２  後輪
１３  ブレード（刈刃）
１４  モーター
１５  取り付けボルト
１６  ハウジング
１７  電池
１８  刈り込み高さ調整機構
１９  カッターハウジング
２１  本体側接続フック
３０  ハンドル
３１  ハンドル接続部品
３２  スイッチ
３３  スイッチレバー
３４  リードワイヤ
４０  集草バッグ
５０  蓋部
５１  蓋部側接続フック
５２  集草バッグハンドル部
５３  刈芝案内部（案内部）
５４  メッシュ部
５５  蓋部側前方フック
５６  蓋部側後方フック
５７、５８クリップ（袋固定具）
５７ａ  支点
５７ｂ  バネ
６０  ボトムケース
６１  ボトムケース側前方フック
６２  固定ピン
１００  ゴミ袋
【図１】
2015008669.tif 000003
【図２】
2015008669.tif 000004
【図３】
2015008669.tif 000005
【図４】
2015008669.tif 000006
【図５】
2015008669.tif 000007
【図６】
2015008669.tif 000008
【図７】
2015008669.tif 000009